(57)【要約】【課題】  録音したラジオ番組を再生する場合に、番組の情報や番組の途中で流れた曲の情報を告知することができる車載用データ処理装置及びその制御方法を提供する。【解決手段】  放送電波を受信して、対応する音声信号を出力する外部機器から出力される音声信号を、放送データとして記憶部に記憶し、記憶した前記放送データを再生するデータ処理装置において、前記放送データを記憶するときの記憶時刻情報を前記記憶部に記憶し、放送時刻と対応する関連情報を含む放送テーブルを外部より取得し、前記放送データを再生するに際し、前記記憶時刻情報と放送テーブルとに基づいて、再生状況に応じて前記関連情報を告知する。【選択図】      図１０
2006270527.tif 000002
【特許請求の範囲】
【請求項１】
放送電波を受信して、対応する音声信号を出力する外部機器から出力される音声信号を、放送データとして記憶部に記憶し、記憶した前記放送データを再生するデータ処理装置において、
前記放送データを記憶するときの記憶時刻情報を前記記憶部に記憶し、
放送時刻と対応する関連情報を含む放送テーブルを外部より取得し、
前記放送データを再生するに際し、前記記憶時刻情報と放送テーブルとに基づいて、再生状況に応じて前記関連情報を告知することを特徴とするデータ処理装置。
【請求項２】
前記関連情報は複数種の情報で構成され、当該複数種の情報の内、ユーザーにより選択された情報を告知することを特徴とする請求項１に記載のデータ処理装置。
【請求項３】
前記記憶時刻情報と前記放送テーブルとを対応付けた記憶情報テーブルを生成し、当該記憶情報テーブルを前記記憶部に記憶することを特徴とする請求項１又は２に記載のデータ処理装置。
【請求項４】
前記放送データの再生中に、前記記憶時刻情報及び前記放送テーブルに基づいて、前記放送データの再生内容に応じた前記関連情報を告知することを特徴とする請求項１乃至３のいずれかに記載のデータ処理装置。
【請求項５】
前記放送電波は、ラジオ放送電波であることを特徴とする請求項１乃至４のいずれかに記載のデータ処理装置。
【請求項６】
前記放送テーブルは、ネットワークを介して取得することを特徴とする請求項１乃至５のいずれかに記載のデータ処理装置。
【請求項７】
放送電波を受信して、対応する音声信号を出力する外部機器から出力される音声信号を、放送データとして記憶部に記憶し、記憶した前記放送データを再生するデータ処理装置を制御する制御方法において、
前記放送データを記憶するときの記憶時刻情報を前記記憶部に記憶する過程と、
放送時刻と対応する関連情報を含む放送テーブルを外部より取得する過程と、
前記放送データを再生するに際し、前記記憶時刻情報と放送テーブルとに基づいて、再生状況に応じて前記関連情報を告知する過程と、
を備えたことを特徴とするデータ処理装置の制御方法。
【請求項８】
放送電波を受信して、対応する音声信号を出力する外部機器から出力される音声信号を、放送データとして記憶部に記憶し、記憶した前記放送データを再生するデータ処理装置を制御するための制御プログラムにおいて、
前記放送データを記憶するときの記憶時刻情報を前記記憶部に記憶させ、
放送時刻と対応する関連情報を含む放送テーブルを外部より取得させ、
前記放送データを再生するに際し、前記記憶時刻情報と放送テーブルとに基づいて、再生状況に応じて前記関連情報を告知させることを特徴とする制御プログラム。
【請求項９】
請求項８記載の制御プログラムを記録したことを特徴とするコンピューター読み取り可能な記録媒体。
【発明の詳細な説明】
【技術分野】
【０００１】
本発明は、データを記憶し、再生するデータ処理装置、その制御方法、制御プログラム及び記録媒体に関する。
【背景技術】
【０００２】
従来、ラジオを録音（記憶）する方法としては、録音機器を用いて放送中の番組をカセットテープやＭＤ（Mini Disk）等の記憶媒体に録音する方法が主流であった。また、近年、メモリーカード、不揮発性メモリー、ハードディスクといった記憶媒体を用いるデジタルオーディオが登場し、ラジオ録音の機能が付加されているものも存在する。そして、デジタルオーディオの一種である車載オーディオにおいても、ハードディスクやメモリーカードにラジオで受信したラジオ放送を録音することが可能となっている。
【０００３】
また、ラジオで受信したラジオ放送を録音するときに、放送局から放送されるＦＭ多重データを監視し、予め指定された放送内容種類区分情報を検出したときに、録音動作を開始し、その放送内容種類区分情報が検出されなくなったときに、録音動作を終了するラジオの録音方法が考えられている（例えば、特許文献１参照）。
【特許文献１】特開平０９−００８７５１号公報
【発明の開示】
【発明が解決しようとする課題】
【０００４】
しかしながら、上記従来の技術にあっては、ラジオ放送を録音した記憶媒体を再生する際に、再生されたラジオ番組の、番組名、ＤＪ（Disk Jockey）名、放送された曲の曲名、演奏者名等の番組情報が何であるかを確認するためには、ユーザーが自ら番組情報を取得し、再生する際に確認できるようにしておく必要があった。
【０００５】
カセットテープにラジオ番組を録音し、録音内容を再生する際には、内容を聞いて番組情報を思い出す、または、カセットテープのラベルに番組情報を手作業で記載することによって、番組情報が何であるかを確認していた。これらの方法によると、録音内容を聞いても番組情報を聞き取れなかったり、ラベルに番組情報が未記入であったりすると、番組情報を再生しているときに、番組情報が何であるかを確認することは困難である。
【０００６】
ＭＤ等のデジタルオーディオにラジオ番組を録音し、録音内容を再生する際には、録音に際し生成されたファイル名に番組情報を入力し、録音したラジオ番組を再生する際に番組情報を表示するものがあるが、ユーザーが番組情報を一文字ずつ入力する操作が必要であり、煩雑である。
【０００７】
いずれの方法においても、特に、録音したラジオ番組を再生している最中に、流れた曲のタイトル名やアーティスト名等の番組情報が流れていても、聞き逃してしまった場合には、巻き戻して聞き直さないと取得できなくなる。特に車載用デジタルオーディオの場合、運転中にこの操作を行うことは安全上好ましくない。
【０００８】
されに、車載用デジタルオーディオにおいては、表示部の大きさが限られており、一度に表示できる内容量も制限されてしまう。従って、必要最小限の情報を適切なタイミングでユーザーに提供することが望まれる。
【０００９】
本発明は、上述した事情に鑑みてなされたものであり、録音したラジオ番組を再生する場合に、番組の情報や番組の途中で流れた曲の情報を告知することができる車載用データ処理装置及びその制御方法を提供することを目的としている。
【課題を解決するための手段】
【００１０】
本発明は、放送電波を受信して、対応する音声信号を出力する外部機器から出力される音声信号を、放送データとして記憶部に記憶し、記憶した前記放送データを再生するデータ処理装置において、前記放送データを記憶するときの記憶時刻情報を前記記憶部に記憶し、放送時刻と対応する関連情報を含む放送テーブルを外部より取得し、前記放送データを再生するに際し、前記記憶時刻情報と放送テーブルとに基づいて、再生状況に応じて前記関連情報を告知することを特徴とする。
【００１１】
この場合において、前記関連情報は複数種の情報で構成され、当該複数種の情報の内、ユーザーにより選択された情報を告知してもよい。前記記憶時刻情報と前記放送テーブルとを対応付けた記憶情報テーブルを生成し、当該記憶情報テーブルを前記記憶部に記憶してもよい。前記放送データの再生中に、前記記憶時刻情報及び前記放送テーブルに基づいて、前記放送データの再生内容に応じた前記関連情報を告知してもよい。前記放送電波は、ラジオ放送電波であってもよい。前記放送テーブルは、ネットワークを介して取得してもよい。
【００１２】
また、本発明は、放送電波を受信して、対応する音声信号を出力する外部機器から出力される音声信号を、放送データとして記憶部に記憶し、記憶した前記放送データを再生するデータ処理装置を制御する制御方法において、前記放送データを記憶するときの記憶時刻情報を前記記憶部に記憶する過程と、放送時刻と対応する関連情報を含む放送テーブルを外部より取得する過程と、前記放送データを再生するに際し、前記記憶時刻情報と放送テーブルとに基づいて、再生状況に応じて前記関連情報を告知する過程と、を備えたことを特徴とする。
【００１３】
また、本発明は、放送電波を受信して、対応する音声信号を出力する外部機器から出力される音声信号を、放送データとして記憶部に記憶し、記憶した前記放送データを再生するデータ処理装置を制御するための制御プログラムにおいて、前記放送データを記憶するときの記憶時刻情報を前記記憶部に記憶させ、放送時刻と対応する関連情報を含む放送テーブルを外部より取得させ、前記放送データを再生するに際し、前記記憶時刻情報と放送テーブルとに基づいて、再生状況に応じて前記関連情報を告知させることを特徴とする。
【００１４】
また、本発明は、コンピューター読み取り可能な記録媒体において、前記制御プログラムを記録したことを特徴とする。
【発明の効果】
【００１５】
本発明によれば、録音したラジオ番組を再生する場合に、番組の情報や番組の途中で流れた曲の情報を告知することができる。
【発明を実施するための最良の形態】
【００１６】
以下、図面を参照しつつ本発明の実施の形態について説明する。
図１は、本実施形態に係るデータ処理装置１００を使用しているときの様子を示す図である。
データ処理装置１００は、自動車等の車両５０に搭載される車載用データ処理装置であり、その主要構成部は、車載装置１０、ラジオ受信装置２０、記憶媒体１、ディスプレイ３０である。
ラジオ受信装置２０は、ラジオ局から電波塔４０を介して送信されるラジオ放送電波を受信し、受信したラジオ放送電波からラジオ音声信号を取得し、車載装置１０に出力する。車載装置１０は、ラジオ受信装置２０から出力されたラジオ音声信号をラジオ放送データ（放送データ）に変換し、記憶媒体１に記憶する。記憶媒体１には、記憶したラジオ放送データに対応する番組名、放送時刻、放送内容等の関連情報に基づく情報データが記憶され、車載装置１０が記憶媒体１に記憶された媒体データを再生するときに、関連情報を表示用データとしてディスプレイ３０に表示する。
【００１７】
図２は、データベース処理装置６０が情報データをデータベース部７０から取得する様子を示す図である。
データベース部７０には、上述したように、ラジオ局から電波塔４０を介して送信されたラジオ放送電波の放送内容に対応した、ラジオ放送の番組名、放送時刻、放送内容等の情報データが記憶されている。
【００１８】
記憶媒体１は、データ処理装置１００から取り外し可能であり、データ処理装置１００から取り外された記憶媒体１は、コンピューター等の通信手段を持つデータベース処理装置６０に接続される。データベース処理装置６０はネットワーク８０に接続されており、ネットワーク８０を介してデータベース部７０から情報データを取得する。データベース処理装置６０がデータベース部７０から取得した情報データを記憶媒体１に記憶すると、記憶媒体１はデータベース処理装置６０から取り外さる。取り外された記憶媒体１はデータ処理装置１００に接続される。データ処理装置１００は、接続された記憶媒体１から情報データを読み出すことにより、データベース部７０に記憶されていた情報データを取得することができる。
【００１９】
図３は、データ処理装置１００の主要構成を示すブロック図である。
データ処理装置１００は、ラジオ受信装置２０を構成するアンテナ２、ラジオ受信部３、スピーカー４と、車載装置１０を構成する、録音データ再生部５、ラジオ録音部６、一時記憶部７、録音データ読出し部８、操作部９、制御部１１、録音情報書込み部１２、表示制御部１３、録音情報読出し部１４と、記憶媒体１と、ディスプレイ３０と、を備えている
【００２０】
アンテナ２は、ラジオ局から電波塔４０を介して送信されるラジオ放送電波を取得する電波取得部であり、ラジオ受信部３は、アンテナ２を介してラジオ放送電波を取得する。
ラジオ受信部３は、アンテナ２を介して受信したラジオ放送電波から、ラジオ音声信号を取得し、ラジオ音声信号をスピーカー４やラジオ録音部６へ出力する。
スピーカー４は、ラジオ受信部３又は録音データ再生部５から出力されてきたラジオ音声信号を、音波として外部に出力する出力部である。
操作部９は、ボタンやジョイスティック等で構成され、ユーザーが操作部９を介して制御部１１に動作指示を行うことにより、データ処理装置１００による録音動作や再生動作等が開始される。
【００２１】
制御部１１は、ＣＰＵ（Central Processing Unit）、ＣＰＵが実行する制御プログラムを格納するＲＯＭ（Read Only memory）、各種データを一時的に格納するＲＡＭ（Random Access Memory）等を備えている。これにより制御部１１は、操作部９からの録音指示、ラジオ録音部６への録音指示、録音データ読出し部８への再生指示、録音情報書込み部１２への録音情報書込み指示、表示制御部１３への表示指示、録音情報読出し部１４への録音情報読出し指示等の、データ処理装置１００全体を制御するコンピューターとして機能する。
【００２２】
また、制御部１１は時計機能を備えており、ラジオ音声信号の録音動作を行う際には、その録音開始時刻や録音終了時刻を録音時刻情報として記憶する。制御部１１は、この録音時刻情報と、録音しているラジオ放送の放送局名または周波数等の放送局情報とを、基本録音情報（図４）として録音情報書込み部１２に出力する。
【００２３】
ラジオ録音部６は、制御部１１からの指示を受け、ラジオ受信部３から出力されてきたラジオ音声信号を処理し、ラジオ放送データとして一時記憶部７に一時的に保存してから記憶媒体１に記憶させる記憶処理部である。ラジオ受信部３から出力されてきた無圧縮状態のラジオ音声信号は、ＭＰ３（Moving Picture Experts Group Audio Layer-3）、ＷＭＡ（Windows（登録商標） Media Audio）、ＡＴＲＡＣ３（登録商標）、ＡＡＣ（Advanced Audio Coding）等の圧縮フォーマットに従ってデータ圧縮し、圧縮状態のラジオ放送データとして記憶媒体１に記憶することにより、記憶媒体１に記憶するラジオ放送データのデータサイズを小さくすることができる。
【００２４】
一時記憶部７は、ＤＲＡＭ（Dynamic Random Access Memory）により構成される。一時記憶部７は、ラジオ録音部６から送られてきた、圧縮状態の各ラジオ放送データをそれぞれ個別の領域に分けて一時的に保存する。この一時記憶部７に保存された圧縮状態のラジオ放送データは、記憶媒体１に記憶するためのデータとして用いられる。
【００２５】
録音情報書込み部１２は、情報を記憶媒体１に書き込む機能を有しており、制御部１１から出力されてきた基本録音情報を記憶媒体１に書き込む。
録音情報読出し部１４は、記憶媒体１から表示用データとして用いる録音情報である総合録音情報を読み出す機能を有しており、データ処理装置１００が記憶媒体１に記憶されているラジオ放送データを再生する再生動作を行うときには、記憶媒体１から表示用データを読出し、表示制御部１３へ出力する。
【００２６】
表示制御部１３は、ディスプレイ３０に表示する表示内容を制御する機能を有しており、録音情報読出し部１４から出力された総合録音情報のうち、制御部１１の指示に基づいた情報を選択し、選択された情報を表示データとしてディスプレイ３０に出力する。
録音データ読出し部８は、記憶媒体１からラジオ放送データを読み出す機能を有しており、データ処理装置１００が再生動作を行うときには、記憶媒体１からラジオ放送データを読出し、録音データ再生部５へ出力する。
録音データ再生部５はデータ変換部であり、録音データ読出し部８から出力されてきたラジオ放送データをラジオ音声信号へと変換し、スピーカー４を介して音波として外部に出力する。このとき、ラジオ放送データが圧縮状態である場合には、非圧縮状態に戻してからラジオ音声信号へと変換する。
【００２７】
ディスプレイ３０は表示部であり、表示制御部１３から出力されてきた表示データを表示する。
記憶媒体１は、デジタルオーディオ用半導体メモリーであり、本実施形態では取り外し可能なメモリーカードであるが、ハードディスクドライブ等であってもよい。記憶媒体１にはラジオ放送データの他に、基本録音情報（図４）とデータベース部７０から取得した番組情報や曲情報等の付加録音情報（図５）とを対応付けて生成された総合録音情報（図６）が記憶されている。
【００２８】
図４は、基本録音情報のテーブルを示す図である。
基本録音情報は、データ処理装置１００がラジオ放送に基づくラジオ放送データを記憶する録音動作を行う際に作成される情報である。
ファイル番号情報Ａ１は、記憶したファイルにファイルナンバーを設けることにより、ファイルを識別するための情報であり、新たにラジオ放送データを記憶する度に作成される。
【００２９】
録音日情報Ａ２は、録音年月日の情報であり、データ処理装置１００がラジオ放送を録音したときの年月日を示している。
録音開始時刻情報Ａ３は、録音開始時刻の情報であり、データ処理装置１００がラジオ放送を録音したときの、ラジオ放送に基づくラジオ放送データの記憶を開始したときの時刻を示している。
【００３０】
録音終了時刻情報Ａ４は、録音終了時刻の情報であり、データ処理装置１００がラジオ放送を録音したときの、ラジオ放送に基づくラジオ放送データの記憶を終了したときの時刻を示している。
録音放送局情報Ａ５は、録音した放送局の情報であり、データ処理装置１００がラジオ放送を録音したときの、録音したラジオ放送のラジオ放送電波を送信している放送局の周波数を示している。
【００３１】
図４に示すファイル番号情報Ａ１が「ファイル２（FILE 2）」のラジオ放送データは、録音日情報Ａ２が「２００５０２０５」、録音開始時刻情報Ａ３が「２０：００」、録音終了時刻情報Ａ４が「２１：００」、録音放送局情報Ａ５が「ＦＭ８０．０」であることから、このファイル２のラジオ放送データは、２００５年２月５日２０時００分から２１時００分のＦＭ（Frequency Modulation）放送の周波数８０．０[ＭＨｚ]が記憶されたものであることがわかる。
【００３２】
図５は、付加録音情報のテーブルを示す図である。
付加録音情報は、放送局別に統合されたテーブルであり、時刻毎にその放送局がラジオ放送した番組の番組情報と、放送された曲の曲情報により構成される。
放送時刻情報Ａ１１は、時刻を示している。
番組名情報Ａ１２は番組名であり、放送時刻情報Ａ１１の時刻毎にラジオ放送された番組の番組名を示している。
ＤＪ名情報Ａ１３はＤＪの名前であり、番組名情報Ａ１２毎のＤＪ名を示している。
【００３３】
曲名情報Ａ１４は曲名であり、番組名情報Ａ１２毎に放送された曲の名前を示している。
演奏者情報Ａ１５は演奏者の名前であり、曲名情報Ａ１４毎の演奏者名を示している。
曲開始時刻情報Ａ１６は曲の放送を開始したときの時刻であり、曲名情報Ａ１４毎の放送開始時刻を示している。
曲終了時刻情報Ａ１７は曲の放送を終了したときの時刻であり、曲名情報Ａ１４毎の放送終了時刻を示している。
【００３４】
この図は、２００５年２月５日のＦＭ８０．０[ＭＨｚ]における付加録音情報テーブルであり、このテーブルの「２０：００」から「２１：００」までが、基本録音情報（図４）のファイル番号情報Ａ１が「ファイル２」であるラジオ放送データに対応している。ここで、番組名情報Ａ１２が「ＰＧＭ−Ｂ」、ＤＪ名情報Ａ１３が「ＤＪ−Ｂ」であることから、ファイル番号情報Ａ１が「ファイル２」であるラジオ放送データは、「ＤＪ−Ｂ」がＤＪを担当している「ＰＧＭ−Ｂ」という名前の番組であることがわかる。また、この番組中に、曲名情報Ａ１４が「ＴＲ−Ｂ００１」、「ＴＲ−Ｂ００２」、「ＴＲ−Ｂ００３」である３つの曲が放送されていることがわかる。さらに、この３つの曲は、２０時５分から２０時１０分まで放送され、演奏者が「ＡＲ−Ｂ００１」である曲名「ＴＲ−Ｂ００１」と、２０時１５分から２０時２０分まで放送され、演奏者が「ＡＲ−Ｂ００２」である曲名「ＴＲ−Ｂ００２」と、２０時４０分から２０時５０分まで放送され、演奏者が「ＡＲ−Ｂ００３」である曲名「ＴＲ−Ｂ００３」とであることがわかる。
【００３５】
図６は、総合録音情報のテーブルを示す図である。
総合録音情報は、録音時刻情報及び放送局情報である基本録音情報と、番組情報及び曲情報である付加録音情報とが対応付けられて１つのテーブルとして構成されている。データ処理装置１００は、記憶したラジオ放送データに関する情報を総合録音情報として記憶媒体１に記憶し、データベース処理装置６０とのデータの授受に用いられる。
【００３６】
図７は、データベース処理装置６０の主要構成を示すブロック図である。
本実施形態では、データ処理装置１００から取り外された記憶媒体１は、データベース処理装置６０に接続され、記憶媒体１を介してデータ処理装置１００とデータベース処理装置６０との間でデータの授受が行われる。
録音情報読出し部１７は、記憶媒体１に記憶されたデータを読み出す機能を有しており、制御部１１から録音情報書込み部１２を介して記憶媒体１に記憶された基本録音情報に対応する基本情報データを読み出す。録音情報読出し部１７で読み出した基本情報データは録音情報送受信部１８へと出力される。
【００３７】
録音情報送受信部１８は、ネットワーク８０を介してデータを送受信する機能を有している。録音情報送受信部１８は、録音情報読出し部１７から出力された基本情報データを、ネットワーク８０を介して外部のデータベース部７０へ送信する。録音情報送受信部１８は、基本情報データをデータベース部７０へ送信すると、データベース部７０からネットワーク８０を介して付加録音情報に対応する情報データを受信し、録音情報読出し部１７へ出力する。
【００３８】
録音情報更新部１６は、記憶媒体１に記憶されている付加録音情報及び総合録音情報に更新があったときに、記憶媒体１に記憶されているこれらの情報に対応するデータを更新する機能を有している。録音情報送受信部１８がデータベース部７０から取得した情報データに対応する付加録音情報が、記憶媒体１に既に記憶されている付加録音情報の内容から更新されている場合に、記憶媒体１に既に記憶されている総合録音情報に対応するデータを更新すべく録音情報書込み部１５に情報データを出力する。
録音情報書込み部１５は、記憶媒体１にデータを書き込む機能を有しており、録音情報更新部１６から情報データが出力されると、総合録音情報に対応するデータを更新する。
【００３９】
図８に、データ処理装置１００によるラジオ録音時の動作のフローチャートを示す。
制御部１１は先ず、ユーザーが操作部９を介して録音開始指示が行われたか否かを判断する（ステップＳ１）。
制御部１１は、ユーザーにより録音開始指示が行われていないと判断すると（ステップＳ１：ＮＯ）、ステップＳ１の処理を繰り返す。
【００４０】
一方、ステップＳ１の判断において、制御部１１は、ユーザーにより録音開始指示が行われたと判断すると（ステップＳ１：ＹＥＳ）、制御部１１が備えている時計機能からその録音開始時刻を取得し、記憶する（ステップＳ２）。
【００４１】
制御部１１は、録音開始時刻を記憶すると、録音対象であるラジオ放送の放送局名または周波数等の放送局情報を取得し、記憶する（ステップＳ３）。
【００４２】
制御部１１は、放送局情報を取得すると、ラジオ放送の録音動作を開始し、ラジオ受信部３から出力されたラジオ音声信号は、ラジオ放送データに変換され、ＭＰ３やＷＭＡ等の圧縮フォーマットに従ってデータ圧縮され、一時記憶部７に記憶される（ステップＳ４）。
【００４３】
制御部１１は、ラジオ放送の録音動作が開始すると、ユーザーが操作部９を介して録音終了指示が行われたか否かを判断する（ステップＳ５）。
【００４４】
制御部１１は、録音終了指示が行われていないと判断すると（ステップＳ５：ＮＯ）、録音終了指示が行われるまでステップＳ５の処理を繰り返す。
【００４５】
一方、ステップＳ５の判断において、制御部１１は、録音終了指示が行われたと判断すると（ステップＳ５：ＹＥＳ）、制御部１１が備えている時計機能からその録音終了時刻を取得し、記憶する（ステップＳ６）。このとき、一時記憶部７に記憶された圧縮状態のラジオ放送データは、記憶媒体１に書き込まれる。
【００４６】
制御部１１は、録音終了時刻を取得すると、録音終了時刻及びステップＳ２で記憶した録音開始時刻により構成される録音時刻情報と、ステップＳ３で記憶した放送局情報とから録音基本情報を作成し、作成された録音基本情報は録音情報書込み部１２を介して記憶媒体１に書き込まれる（ステップＳ７）。
【００４７】
図９に、データベース処理装置６０がデータベース部７０から情報データを取得する際の動作のフローチャートを示す。
本実施形態におけるデータ処理装置１００はデータベース部７０に接続されていないため、データ処理装置１００が新たな情報データを取得する際には、記憶媒体１をデータ処理装置１００から取り外し、データベース処理装置６０がデータベース部７０から取得した情報データを記憶媒体１に記憶し、情報データが記憶された記憶媒体１を再度データ処理装置１００に接続することにより行われる。
【００４８】
データベース処理装置６０に記憶媒体１が接続されると、録音情報読出し部１７が基本録音情報を含む総合録音情報を取得し、データベース処理装置６０は、記憶媒体１に基本録音情報があるか否かを判断する（ステップＳ１１）。
【００４９】
データベース処理装置６０は、記憶媒体１に基本録音情報がないと判断すると（ステップＳ１１：ＮＯ）、ステップＳ１７以降の処理を行う。
【００５０】
一方、ステップＳ１１の判断において、記憶媒体１に基本録音情報が正しく書き込まれており、データベース処理装置６０は、記憶媒体１に基本録音情報があると判断すると（ステップＳ１１：ＹＥＳ）、録音情報送受信部１８がネットワーク８０を介してデータベース部７０に基本録音情報を送信し、アクセスする（ステップＳ１２）。
【００５１】
データベース処理装置６０は、データベース部７０にアクセスすると、データベース部７０に送信した基本録音情報に適合する番組情報があるか否かを判断する（ステップＳ１３）。
【００５２】
データベース処理装置６０は、データベース部７０に送信した基本録音情報に適合する番組情報がないと判断すると（ステップＳ１３：ＮＯ）、ステップＳ１７以降の処理を行う。
【００５３】
一方、ステップＳ１３の判断において、データベース処理装置６０は、データベース部７０に送信した基本録音情報に適合する番組情報があると判断すると（ステップＳ１３：ＹＥＳ）、録音情報送受信部１８が番組情報に基づく情報データを取得し、録音情報更新部１６が記憶媒体１から取得した総合録音情報を、データベース部７０から取得した番組情報に基づいて更新する（ステップＳ１４）。
【００５４】
録音情報更新部１６記憶媒体１から取得した総合録音情報を更新すると、データベース処理装置６０はデータベース部７０を検索し、ステップＳ１３において記憶媒体１から取得した基本録音情報に適合した番組情報中に曲情報があるか否かを判断する（ステップＳ１５）。
【００５５】
データベース処理装置６０は、記憶媒体１から取得した基本録音情報に適合した番組情報中に曲情報がないと判断すると（ステップＳ１５：ＮＯ）、ステップＳ１７以降の処理を行う。
【００５６】
一方、ステップＳ１５の判断において、データベース処理装置６０は、記憶媒体１から取得した基本録音情報に適合した番組情報中に曲情報があると判断すると（ステップＳ１５：ＹＥＳ）、録音情報送受信部１８を介してこの曲情報に基づく情報データを取得し、録音情報更新部１６が記憶媒体１から取得した総合録音情報を、データベース部７０から取得した曲情報に基づいて更新する（ステップＳ１６）。
【００５７】
データベース部７０から取得した曲情報に基づいて総合録音情報を更新すると、データベース処理装置６０は、記憶媒体１から取得した総合録音情報が、記憶媒体１をデータベース処理装置６０に接続してから更新されているか否かを判断する（ステップＳ１７）。
【００５８】
データベース処理装置６０は、記憶媒体１をデータベース処理装置６０に接続してから総合録音情報が更新されていないと判断すると（ステップＳ１７：ＮＯ）、データベース処理装置６０は一連の処理を終了する。
【００５９】
一方、ステップＳ１７の判断において、データベース処理装置６０は、記憶媒体１をデータベース６０に接続してから総合録音情報が更新されていると判断すると（ステップＳ１７：ＹＥＳ）、録音情報書込み部１５が更新された総合録音情報を記憶媒体１に書き込む（ステップＳ１８）。
【００６０】
記憶媒体１は、データベース部７０から取得した情報データに基づいて更新された総合録音情報が書き込まれると、データ処理装置１００に接続され、データ処理装置１００の総合録音情報は更新されたことになる。
【００６１】
図１０に、データ処理装置１００が記憶媒体１に記憶されたラジオ放送データを再生する際の動作のフローチャートを示す。
ユーザーが操作部９を操作することにより、データ処理装置１００に対して記憶媒体１に記憶されたラジオ放送データの再生動作を行うように指示すると、制御部１１は、記憶媒体１に記憶したラジオ放送データの再生を開始する（ステップＳ２１）。
【００６２】
制御部１１は、記憶媒体１に記憶されたラジオ放送データの再生を開始すると、再生対照であるラジオ放送データに対応する総合録音情報が記憶媒体１にあるか否かを判断する（ステップＳ２２）。
【００６３】
制御部１１は、再生対象であるラジオ放送データに対応する総合録音情報が記憶媒体１にないと判断すると（ステップＳ２２：ＮＯ）、表示制御部１３を介してディスプレイ３０に「NO DATA」と表示させ、その旨をユーザーに告知すると（ステップＳ２４）、ステップＳ２５以降の処理を行う。
【００６４】
一方、ステップＳ２２の判断において、制御部１１は、再生対象であるラジオ放送データに対応する記憶媒体１に総合録音情報があると判断すると（ステップＳ２２：ＹＥＳ）、ディスプレイ３０に表示する表示データの選択肢を、表示制御部１３を介してディスプレイ３０に表示し、ユーザーは操作部９を介して、ディスプレイ３０に表示された選択肢の中から、表示データを選択する（ステップＳ２３）。このときの表示データの選択肢は、録音開始時刻、放送曲名、番組名、ＤＪ名、曲名、アーティスト名である。
【００６５】
ユーザーが操作部９を介して表示データを選択すると、制御部１１は、ユーザーが表示データとして曲情報を選択したか否かを判断する（ステップＳ２５）。
【００６６】
制御部１１は、ユーザーが表示データとして曲情報を選択していないと判断すると（ステップＳ２５：ＮＯ）、ユーザーが選択した表示データに基づく情報を、表示制御部１３を介してディスプレイ３０に表示し（ステップＳ２８）、一連の処理を終了する。
【００６７】
一方、ステップＳ２５の判断において、制御部１１は、ユーザーが表示データとして曲情報を選択したと判断すると（ステップＳ２５：ＹＥＳ）、ラジオ放送データの再生経過時間に対応する時刻が曲開始時刻に到達したか（一致したか）否かを判断する（ステップＳ２６）。
【００６８】
ここで、曲開始時刻は、ラジオ放送データの再生が開始されたときに曲データの再生が開始される時刻であり、録音開始時刻情報Ａ３及び曲開始時刻情報Ａ１６から求められる。
また、曲開始時刻に到達したか否かの判断は、曲開始時刻とラジオ放送データの再生が開始してからの時刻とから判断される。例えば、総合録音情報（図６）によると、「ファイル２」のラジオ放送データは、録音開始時刻情報Ａ３から「２０：００」に録音が開始されている。一方、曲名情報Ａ１４が「ＴＲ−Ｂ００２」である曲は、曲開始時刻情報Ａ１６から「２０：１５」に曲の放送が開始されている。
これにより、「ファイル２」のラジオ放送データを再生すると、録音開始時刻情報Ａ３と曲開始時刻情報Ａ１６とから、再生開始してから１５分後に「ＴＲ−Ｂ００２」の曲が開始することがわかる。
【００６９】
ステップＳ２６において、制御部１１は、曲開始時刻に到達していないと判断すると（ステップＳ２６：ＮＯ）、曲開始時刻に到達したと判断するまでの間、ステップＳ２６の処理を繰り返す。
【００７０】
一方、ステップＳ２６において、制御部１１は、曲開始時刻に到達したと判断すると（ステップＳ２６：ＹＥＳ）、曲の再生が終了する曲終了時刻まで、表示制御部１３を介してディスプレイ３０に曲情報を表示する。
【００７１】
このとき、曲終了時刻は、曲開始時刻情報Ａ１６及び曲終了時刻情報Ａ１７から求められる。例えば、総合録音情報（図６）によると、「ファイル２」のラジオ放送データの、曲名情報Ａ１４が「ＴＲ−Ｂ００２」である曲は、曲開始時刻情報Ａ１６から「２０：１５」に曲の放送が開始され、曲終了時刻情報Ａ１７から「２０：２０」に曲の放送が終了している。これにより、「ＴＲ−Ｂ００２」は、曲開始時刻情報Ａ１６と曲終了時刻情報Ａ１７とから、曲の再生が開始されてから５分後に曲の再生が終了することがわかる。
【００７２】
本実施形態によれば、ラジオ放送に対応するラジオ放送データを再生し、再生されたラジオ放送のラジオ番組が途中で曲を流すラジオ番組である場合に、曲が流れていないときにはこのラジオ番組の番組名や、ＤＪ名を、曲が流れたときには流れた曲に対応する曲名、演奏者名等の情報をディスプレイ３０に表示し、ユーザーに告知することができる。
【００７３】
以上、一実施形態に基づいて本発明を説明したが、本発明は、これに限定されるものではない。例えば、実施形態では車載装置１０とラジオ受信装置２０とディスプレイ３０とが別々となっているが、これに限らず、車載装置１０にラジオ受信回路やディスプレイ装置が一体となっていてもよい。
【００７４】
実施形態では、記憶媒体１をデータ処理装置１００から取り外し、データベース処理装置６０に接続することによりネットワーク８０を介してデータベース部７０から情報データを取得しているが、これに限らず、データ処理装置１００がデータベース処理装置として機能することにより、記憶媒体１をデータ処理装置１００から取り外すことなくデータベース部７０から情報データを取得してもよい。
【００７５】
実施形態では、ラジオ放送データを再生する際に、ユーザーに対して表示データの選択を求めていたが（ステップＳ２３）、これに限らず、表示データとして表示するデータを予め設定しおくことにより、ユーザーによる選択操作を省略してもよい。
【００７６】
実施形態では、記憶したラジオ番組に基づくラジオ放送データを編集せず、記憶したときのままで記憶しているが、これに限らず、曲開始時刻情報Ａ１６と曲終了時刻情報Ａ１７とからラジオ番組中に流れている曲を判別し、曲のみを抽出したデータとして編集してもよい。
【００７７】
実施形態では、外部機器をラジオ受信装置としているが、これに限らず、放送電波の受信装置であれば良く、例えばテレビ受信装置等であっても良い。外部機器がテレビ受信装置である場合、制御部１１は、テレビ受信装置が受信したテレビ放送電波に対応するテレビ音声信号を再生し、実施形態におけるラジオ音声信号と同様に処理すればよい。具体的には、再生中のテレビ放送で、曲が流れていないときにはテレビ番組名や、司会者名を番組情報としてディスプレイ３０に表示し、また、放送の途中で曲が流れたときには、その曲の曲名、演奏者名等の曲に関する情報を番組情報としてディスプレイ３０に表示して、ユーザーに告知する構成とすれば良い。さらに、テレビ受信装置がテレビ放送電波から取り出したテレビ映像信号についてもラジオ音声信号と同様にテレビ映像に関連する情報を告知するようにしても良い。
【図面の簡単な説明】
【００７８】
【図１】本実施形態に係るデータ処理装置の運用状況を示したものである。
【図２】データベース処理装置がデータベース処理装置データベース部からデータを取得する際の運用状況を示したものである。
【図３】データ処理装置の機能的構成を示すブロック図である。
【図４】基本録音情報のテーブルを示す図である。
【図５】付加録音情報のテーブルを示す図である。
【図６】総合録音情報のテーブルを示す図である。
【図７】データベース処理装置の機能的構成を示すブロック図である。
【図８】データ処理装置によるラジオ録音時の動作を示したフローチャートである。
【図９】データベース処理装置がデータベース部から情報データを取得する際の動作を示したフローチャートである。
【図１０】データ処理装置がラジオ放送データを再生する際の動作を示したフローチャートである。
【符号の説明】
【００７９】
１  記憶媒体（記憶部）
２０  ラジオ受信装置（外部機器）
８０  ネットワーク
１００  データ処理装置
【図１】
2006270527.tif 000003
【図２】
2006270527.tif 000004
【図３】
2006270527.tif 000005
【図４】
2006270527.tif 000006
【図５】
2006270527.tif 000007
【図６】
2006270527.tif 000008
【図７】
2006270527.tif 000009
【図８】
2006270527.tif 000010
【図９】
2006270527.tif 000011
【図１０】
2006270527.tif 000012